(57)【要約】      （修正有）【課題】治療のため医薬品類を服用する人々が容易に収容出来て正直に服用し得る様に設けた薬品収容供給箱を提供する。【解決手段】薬品収容供給箱１は、１個が２日分で、更に朝昼夜と収容出来る小箱３を３１日分１５個を両端開口して設けた再角状の大箱２に、各５個を横列に並べるとともに３段に積重ね、左右可動自在なる様に設けて構成したことで、容易に収容して正直に服用出来る。【選択図】図１
2019181131.tif 000002
【特許請求の範囲】
【請求項１】
角筒状の大箱の両端部を開口して設けた。該大箱に細長の小箱に設けに各５個宛を横列に並べて、３段に積重ねて、左右可動自在なる様に設けて構成しなる薬品収容供給箱。
【請求項２】
小箱は上部を開口した細長い構状のものにして、その中央部に雑室を設けるとともに、その両端部を塞いで設けた左右の雑室に、各朝昼夜用の薬室を設けて構成した請求項１記載の薬品収容供給箱。
【発明の詳細な説明】
【０００１】  本発明は、病人通院者等で治療のため医薬品類を服用する人々が容易に収容出来て正直に服用し得る様に設けた薬品収容供給箱に関する。
【０００２】一般に病人や服用者に於いては、薬を服用者が一定の場所や適当の場所に置いて、その服用時に取出して飲んでいるのである。
【０００３】  また多忙な者や老人等においては、不定の場所に置いたり不用意に置いて服用する時にあわてて探し出して服用する事である。
【０００４】  これらの医薬品は、病人や服用者にとっては正に命の綱とも言える大事なものであって、１薬１回位と言えどもその服用を失してはならない事であるのである。
【０００５】  それ程に服用者においては、薬品の収容は粗雑には扱い出来ぬものであり従って常に留意を必要とするものである。尚健常者も心を配りして協力を惜しまずなすべきことである。
【０００６】  ここで服用者においては、服用する薬品の服用時食間時間や個数など内用薬の用法を充分に把握して服用はすべきことである。
【０００７】  そこで本発明は、これら上記の様な扱いに服用者が容易に確実に収容出来てこれを正直に服用出来る様に、医薬品の内外薬品を薬品収容供給箱による収容供給し得る方法を開発して設けて講じたものである。
【発明の概要】
【発明が解決しようとする課題】
【０００８】    以上に述べた様に本開発は、服用するその医薬品内外用薬品を一定の箇所に用意確実に収容出来てその服用が正直に出来得る様になすことである。【０００９】  そこで本発明は、上記の様な服用者の有している諸問題を解決して又飲み忘れている等のないなどして容易に供給出来る薬品収容供給箱を実現することを目的とする。
【議題を解決するための手段】
【００１０】  そして本発明は、上記目的を達成するために薬品収容供給箱に内外薬品類を１日分で細かく朝昼夜の分室に正直に収容供給出来る様に設けた小箱を１ヶ月分日数個を用意して設けてこの薬品収容供給箱に収めてその時に服用し得ることが出来る様に設けて構成したものである。
【００１１】  ２の手段は、小箱が細長くて断面横コ字状で溝状のものでその中心部に雑薬室を設けるとともにその左右に各１日用にして細かく朝昼夜用の３薬室を設けてこの１箱で２日分の各薬室を設けたものである。
【００１２】  こうして本開発は、上記の様な小箱を１ヶ月分で、１５箱を用意してこれを大箱に５個宛で横１列にして設けてその上段に２列の各５個宛の小箱を積重ねして該大箱の両開口に左右可動自在なる様に設けて、この薬品収容供給箱を構成したものである。
【００１３】  こうして本発明は、小箱が各５箱で横列に３段に積重ねられて大箱に小箱群で表された開口面の先ず上段の小箱５個に右小箱より月日の１日から２日・３日・４日・５日の５数字をそれぞれ表示して形成する。
【００１４】  つづいて本発明は、２段目の各小箱５個に右小箱より月日の６・７・８・９・１０日の各数字を表して続いて下段の小箱５個に右小箱に右小箱より月日の１１・１２・１３・１４・１５日の各数字をそれぞれ表示して表わして構成したものである。
【００１５】  次に本発明は、大箱の図示していないが裏面図に表面図と同様に表れてある小箱の上段５個に表面部と同様に上段の小箱５個に右小箱より月日の１６・１７・１８・１９・２０日と表示し次に続いて日々の２１・２２・２３・２４・２５日と表示し続いて下段の小箱も５段に日の２６・２７・２８・２９・３０日とを表示して構成されてあるのである。
【００１６】  そして３１日服用の薬は、上段の小箱１・２・３・４・５を一斉に雑室まで引出してそこに表われた該小箱の１・２を朝用とし小箱３箱を昼用と小箱４を夜としてなしてこの小箱群に服用する薬をそれぞれ収容して用いるのである。
【００１７】  この際表示記入する日数字は左右どちらかでも又表示する面はどこの面部に表示しても差支えない
【発明の効果】
【００１８】  上述した様に、本開発の薬品収容供給箱は、内外用薬品類の服用処置が容易正確で確実正直に服用し得る大いなる力を発揮する薬品収容供給箱を提供することが出来ることである。
【００１９】  こうして本発明は、また飲み忘れや誤りなどを防止し尚認知症の防止にも役立つ効果を発揮するものである。
【図面の簡単な説明】
【００２０】
【図１】  本発明の実施形態を示した薬品収容供給箱の正面図
【図２】  同薬品収容の小箱の断面側面図
【図３】  同開閉幕の断面側面図
【発明を実施するための形態】
【００２１】  以下、本発明の実施の形態を図に基づいて説明する。
【００２２】  図においては、１は薬品収容供給箱で、両端部を開口した角筒状の大筒２に上部を開口した細長い溝状の小箱３を１５個用意して該小箱３を各５個宛で横一列に連ねて上部に３段に積重ねてこの大箱２両端開口部に移動出入自在なる様に設けて構成したものである。
【００２３】  そこで各小箱３を、その中心部に内外用薬品以外の雑薬品を収容出来る雑室４を設けるとともに該薬室４の左右に設けられた２室をおのおの１日として扱って即３１日室５・５”として設けて該１日室５・５”の外端部より、その日の朝イと昼ロと夜ハの３室の薬室６をそれぞれ設けて構成したものである。
【００２４】  こうして本発明は、大箱２の開口表面部に１５個の小箱３で飾られて表れた大面様の先ず上段の各小箱に右小箱３より月日の１・２・３・４・５日の月日７をそれぞれ表示する。続いて中段の各小箱３に右小箱３より６・７・８・９・１０日をおのおの表示して続いて下段の各小箱３に右より１１・１２・１３・１４・１５日とおのおの左上端部に表示して構成したものである。
【００２５】  而して本発明は、図示してないが大箱２の開口裏面部の各小箱３に大箱２の表面部各小箱３の日数日に当る数日数字に１５の日数字を加算しイ表示したものである。例へは小箱３表面１の裏面には１５日の数字を加算して１６と表示した如くである。
【００２６】  尚本発明は３１日を、上記で述べてある様に上段の各小箱３５個を一斉に前面部に引出して表れた５個の雑室４を後述する様に利用したものである。
【００２７】  こうして本発明は、各小箱３に取手８を各々取付けられてあって台９上に載置されてあるのである。
【００２８】  以下、上記構成の動作を確認する。先ず１週間の服用する薬品を薬品収容供給箱１に収容するときは、上段の各小箱３１列の５個１・２・３・４・５を前部に雑室４まで引出して薬室イに朝服用の薬品を内用薬の用法に従って収容するとともに薬室ロに昼服用の薬品を収容しつづいて夜服用の薬品を薬室ハに用法に従って収容する。つづいて残りの６・７日の薬品を代って６・７日の２個の小箱３を同じく前部に雑室４まで引出して薬室イ・ロ・ハにそれぞれ用法に従っておのおの収容しておくものである。
【００２９】  そして薬品収容供給箱１に、つづいて服用する薬品を収容するときは８日からの服用する日数の小箱３を前部に雑室４まで引出して上記の如く用法に従ってぞくぞくと収容するものである。更につづいて１６日以降の服用する薬品を収容するときは、図示してないが薬品収容供給箱１の裏部の１６日以降の各小箱３より所要する日数の該小箱３を引出してその服用する薬品を該薬品収容供給箱１に収容するのである。
【００３０】  面して薬品を服用するときは、薬品収容供給箱１よりその処分された日よりの日数に合わせてその日数の小箱３各々引出して内用薬の用法に従ってその時どきの薬品を各薬室６よりそれぞれ取出して服用するものである。
【００３１】  本発明は、上記のとおり服用する薬品類を容易確実に収容し得るとともに正直に取出して服用することが出来て薬品の有効な処置及効果を有するものである。また認知症の防止にも役立つ更なる効果ある特徴を有するものである。
【付号の説明】
【００３２】  １  薬品収容供給箱
２  大箱
３  小箱
４  雑室
５  １日箱
６  薬箱
【図１】
2019181131.tif 000003
【図２】
2019181131.tif 000004
【図３】
2019181131.tif 000005